(57)【要約】  本発明の方法では分配及びソーティングプロセスにおいて各々識別されなかったオーバーラップに対する平均コストＣＮＤＤ及び各々識別されたオーバーラップしていた送付物の再度のソーティング及び分配のための平均コストＣＲＦがもとめられる。ソーティング動作の前に、検出器の識別率ＤＲ（Ｐｉ）が様々な作動点において調整パラメータＰｉに依存してもとめられる。ソーティング動作の間に定められたインターバルに対して調整パラメータＰｉの値に依存して識別結果、識別率ＤＲ（Ｐｉ）及びエラー率ＥＲ（Ｐｉ）からその都度瞬時のオーバーラップ率ＤＦＲ’（Ｐｉ）が推定される。ソーティング及び分配プロセスのオペレータの有用度ＣＢ’（Ｐｉ）に対する式ＣＢ’（Ｐｉ）＝Ｎ｛ＤＦＲ’（Ｐｉ）・ＤＲ（Ｐｉ）・（ＣＮＤＤ−ＣＲＦ））−（ＥＲ（Ｐｉ）・ＣＲＦ・（１−ＤＦＲ’（Ｐｉ）））｝から引き続いて最適化計算において最高有用度ＣＢ’（Ｐｏｐｔ）を有する瞬時の調整パラメータＰｏｐｔがもとめられ、この瞬時の調整パラメータＰｏｐｔによって検出器は次のインターバルまで動作される。
2007501176.tif 000002
【特許請求の範囲】
【請求項１】
セパレーション装置に続くソーティングマシンの搬送区間における平坦な送付物のオーバーラップの識別のための検出器の動作方法において、
ａ）ソーティング動作の前に、
ａ１）分配及びソーティングプロセスにおいて各々識別されなかったオーバーラップに対する平均コストＣＮＤＤ及び各々識別されたオーバーラップしていた送付物の再度のソーティング及び分配のための平均コストＣＲＦがもとめられ、
ａ２）さらに検出器の識別率ＤＲ（Ｐｉ）として正しく識別されたオーバーラップの分量及び検出器のエラー率ＥＲ（Ｐｉ）として誤ってオーバーラップとして検出されてしまった単一送付物の分量が調整パラメータＰｉに依存してもとめられ、
ｂ）さらにソーティング動作の間に自動的にそれぞれ定められた期間又はソーティングマシンで処理される送付物の定められた個数によって規定されるインターバルの後で、
ｂ１）ちょうど今終了したばかりのインターバルに対して、このインターバルに検出器によりもとめられたオーバーラップの個数ＮＡＤ及びこのインターバルに検出器により検出された送付物の個数Ｎから、識別結果ＮＡＤ／Ｎがもとめられ、
ｂ２）このインターバルにおける調整パラメータＰｉの値に依存する量ＤＲ（Ｐｉ）及びＥＲ（Ｐｉ）と共に前記識別結果ＮＡＤ／Ｎから、このインターバルにおいて実際に発生したオーバーラップ率の推定ＤＦＲ’（Ｐｉ）が行われ、
ｂ３）ソーティング及び分配プロセスのオペレータ（Betreiber）の有用度（Nutzen／utility）ＣＢ’（Ｐｉ）すなわち
ＣＢ’（Ｐｉ）＝Ｎ｛ＤＦＲ’（Ｐｉ）・ＤＲ（Ｐｉ）・（ＣＮＤＤ−ＣＲＦ））−（ＥＲ（Ｐｉ）・ＣＲＦ・（１−ＤＦＲ’（Ｐｉ）））｝
から最適化計算においてこのインターバルに対する最高有用度ＣＢ’（Ｐｏｐｔ）を生じる調整パラメータＰｏｐｔがもとめられ、
ｂ４）次のインターバルに対して調整パラメータＰｉの値として値Ｐｏｐｔが定められ、検出器はこの次のインターバルにおいてこの調整パラメータによって動作されることを特徴とする、セパレーション装置に続くソーティングマシンの搬送区間における平坦な送付物のオーバーラップの識別のための検出器の動作方法。
【請求項２】
ちょうど今終了したばかりのインターバルにおける実際に発生したオーバーラップ率の推定ＤＦＲ’（Ｐｉ）は式
【数１】
2007501176.tif 000008
によって行われることを特徴とする、請求項１記載の方法。
【発明の詳細な説明】
【技術分野】
【０００１】
本発明は、セパレーション装置に続くソーティングマシンの搬送区間における平坦な送付物のオーバーラップの識別のための検出器の動作方法に関する。
【０００２】
従来の送付物処理システムでは送付物スタックがソーティングマシンにおいてセパレートされる。この場合、複数の送付物が同時にスタックから引き出され、すなわち互いにオーバーラップした複数の送付物がフィーダを離れ、これらの互いにオーバーラップした複数の送付物が識別されない場合にはソーティングエラーを引き起こしてしまうことが生じうる。この理由から、これらの互いにオーバーラップした複数の送付物がセパレーション装置から離れた後でオーバーラップを適時識別し、これらを差し戻しターミナル／リジェクトボックスに導くことが必要不可欠である（ＵＳ６０２３０３４Ａ参照）。
【０００３】
これまでは、セパレーション装置の多重引き出し（Mehrfachabzuege）により喚起されるオーバーラップを様々な測定原理に基づいて検出する相応の検出器が周知であった。送付物の分配エラーを回避するために、識別された多重引き出しはソーティングマシンの差し戻しターミナルに導かれる。ＤＥ４３３７００４Ａ１には、可撓性の扁平な送付物のオーバーラップの識別のための装置及び方法が記述され、この装置及び方法においては搬送区間において各送付物の少なくとも一部分が搬送方向に対して垂直方向に運動させられうる。少なくとも１つの反らせ部材がこの搬送区間には設けられており、この反らせ部材によって搬送区間における搬送の間に運動可能な送付物部分が搬送方向に対して垂直方向に一時的に所定の大きさだけ変位される。検出方向においてこれらの送付物の戻りスナップ（跳ね戻り）特性に基づいてオーバーラップしている送付物部分の存在が検出される。
【０００４】
セパレートされた送付物の幅狭い側面が画像撮影装置によって撮影され、次いで画像処理装置において複数の送付物がオーバーラップしたまま搬送されているかどうかを例えば明暗の変わり目をカウントすることによって評価する相応の検出器も公知である（ＦＲ２５４６０８３Ａ、２０５７３０９Ａ）。全てのこれらの検出器は所定のエラー及び識別率を有する固定作動点を有し、これらの検出器はこの作動点においてこれらの検出器自体を包含しているプロセスには無関係に動作される。
【０００５】
本発明の課題は、セパレーション装置に続くソーティングマシンの搬送区間における平坦な送付物のオーバーラップの識別のための検出器の自動的な動作のための方法を提供し、この方法においては検出器がソーティング及び分配プロセス条件に依存して動作されるようにすることである。
【０００６】
本発明は請求項１の特徴部分記載の構成によって解決される。
【０００７】
この場合、分配及びソーティングプロセスにおいて各々識別されなかったオーバーラップに対する平均コストＣＮＤＤ及び各々識別されたオーバーラップしていた送付物の再度のソーティング及び分配のための平均コストＣＲＦがオフラインでもとめられる。ソーティング動作の前に、検出器の識別率ＤＲ（Ｐｉ）及びエラー率ＥＲ（Ｐｉ）が異なる複数の作動点において相応の調整パラメータＰｉに依存してもとめられる。ソーティング動作の間に、定められた個数の送付物がソーティングマシンで処理される定められた時間インターバル又はインターバルに対して、調整パラメータＰｉの値に依存するその都度瞬時のソーティングマシンのオーバーラップ率ＤＦＲ’（Ｐｉ）が識別結果、識別率ＤＲ（Ｐｉ）及びエラー率ＥＲ（Ｐｉ）から推定される。
【０００８】
ソーティング及び分配プロセスのオペレータ（Betreiber）の有用度（Nutzen／utility）ＣＢ’（Ｐｉ）に対する関係式
ＣＢ’（Ｐｉ）＝Ｎ｛ＤＦＲ’（Ｐｉ）・ＤＲ（Ｐｉ）・（ＣＮＤＤ−ＣＲＦ））−（ＥＲ（Ｐｉ）・ＣＲＦ・（１−ＤＦＲ’（Ｐｉ）））｝
から引き続き最適化計算において最高有用度ＣＢ’（Ｐｏｐｔ）を有する瞬時の調整パラメータＰｏｐｔがもとめられ、この調整パラメータＰｏｐｔによって次のインターバルまでこの検出器は動作される。これによって、検出器は異なるプロセス条件及びプロセスコストにおいても最適コストで自動的に動作される。
【０００９】
有利には、異なる調整パラメータＰｉにおける瞬時のオーバーラップ率ＤＦＲ’（Ｐｉ）は次式
【００１０】
【数１】
2007501176.tif 000003
からもとめられ、ただしここでＮＡＤはインターバルにおいて検出された送付物の個数Ｎにおいて検出器によりもとめられたオーバーラップの個数である。
【００１１】
次いで、本発明を図面に基づいて実施例において詳しく説明する。
【００１２】
この場合、
図１は調整パラメータＰｉに依存する検出器の識別率及びエラー率の線図を示し、
図２は動作プロセスのブロック線図を示す。
【００１３】
オーバーラップ検出器により識別されたオーバーラップ、すなわちソーティングマシンのセパレーション装置からオーバーラップしたまま搬出されてしまった複数の送付物は、いわゆるリジェクトボックスに導かれ、次いで再度セパレーション装置に供給される。この場合、上手く通過してしまった本物のオーバーラップした送付物と誤ってそのように識別されてしまった単一送付物とが存在する。オーバーラップした送付物が識別されずに通過してしまう場合、読み出されたアドレスを有する送付物につながっている送付物が少なくとも間違った最も近い分配センタに送付され、この場合そこから正しいアドレスへと転送されなければならない。
【００１４】
これはもちろん付加コストの原因となり、この付加コストはオーバーラップの早期の識別によってオーバーラップの再度の供給のためのコストを差し引いて回避されうる。検出プロセスは検出エラーによってノーマルな単一送付物を誤ってオーバーラップとして識別するかもしれないので、当該ソーティングマシンにおけるこれらの送付物の付加的なソーティングのためのコストは節減された付加コストから減算されなければならない。
【００１５】
よって、ソーティング及び分配プロセスのオペレータに対する有用度ＣＢは、関係式
ＣＢ＝Ｎ｛ＤＦＲ・ＤＲ・（ＣＮＤＤ−ＣＲＦ））−（ＥＲ・ＣＲＦ・（１−ＤＦＲ））｝
から得られる。この場合、
Ｎ・ＤＦＲ・ＤＲは
観察される期間において検出されたオーバーラップの個数
であり、さらに、
Ｎ・ＥＲ・（１−ＤＦＲ）は
間違って検出されてしまった単一送付物の個数であり、
ただしここで
Ｎ＝処理される送付物の数
ＤＦＲ＝ソーティングマシンのオーバーラップ率
ＤＲ＝検出器の識別率
ＥＲ＝検出器のエラー率
ＣＮＤＤ＝識別されなかった各オーバーラップに対するコスト
ＣＲＦ＝識別されたオーバーラップのその都度のソーティングマシンへの再度の各供給に対するコスト
である。これらのコストはそれぞれの送付物処理タイプに依存し、すなわちそれは例えば入力側ソーティング（Eingangssortierung）又は出力側ソーティング（Ausgangssortierung）である。
【００１６】
オーバーラップをもとめるための検出器はこれまでは固定作動点において所定の識別率ＤＲ及び所定のエラー率ＥＲで作動し、これは例えばＤＥ−ＡＫｚ．１０３１０５４６．８−２７によって確認されうる。
【００１７】
しかし、動作に対する有用度を制御するためには、識別及びエラー率をパラメタライズすることが必要不可欠であり、すなわち調整パラメータＰｉに依存してこれらが変化される。この依存性はテーブル１及び図１に例示的に図示されている。
【００１８】
【表１】
2007501176.tif 000004
【００１９】
この場合、識別率が上昇するにつれてエラー率も大きくなることが見て取れる。
【００２０】
従って、オペレータに対する有用度は、パラメタライズされた関係式
ＣＢ’（Ｐｉ）＝Ｎ｛ＤＦＲ’（Ｐｉ）・ＤＲ（Ｐｉ）・（ＣＮＤＤ−ＣＲＦ））
−（ＥＲ（Ｐｉ）・ＣＲＦ・（１−ＤＦＲ’（Ｐｉ）））｝
から得られる。
【００２１】
その都度のソーティングマシンの瞬時のオーバーラップ率に対する推定値は
【００２２】
【数２】
2007501176.tif 000005
から得られる。
【００２３】
識別及び最適化プロセス全体は図２に図示されている。
【００２４】
図２のブロック線図は概略的に方法の経過を記述している。オーバーラップ検出器はオーバーラップをソーティング及び分配プロセス１の間に検出し、これらのオーバーラップは次いでリジェクトボックスに導かれ、これによって正規のプロセスから排除される。これによってソーティングエラーの個数、すなわち識別されなかった各オーバーラップに対するコストＣＮＤＤが低減される。リジェクトボックスの送付物はソーティングマシンにもう一度供給され、これにより送付物毎の付加的なコストＣＲＦが生じる。これらのコストＣＮＤＤ、ＣＲＦはプロセスオペレータに対する有用度最適化２の入力データとして使用される。これらのデータはオフラインでプロセスモジュールから導出される。この場合、これらのコストはその都度のプロセスの種類に依存すること、すなわちストリート及び家番号によるいわゆる入力側ソーティング及び分配プロセスにおけるソーティングエラーコストは、郵便番号及び宛先表示によるいわゆる出力側ソーティング及び分配プロセスにおけるソーティングエラーコストとは異なることは明白である。テーブル２には例示的に所定のマシンタイプ（ＦＶＭ）に対する相応のコストが示されている。
【００２５】
【表２】
2007501176.tif 000006
【００２６】
オーバーラップ検出を有するソーティングプロセス３は基本コンポーネント、セパレーション３．１、次いでオーバーラップ検出３．２、その後に読み出される宛先アドレスによるソーティング３．３を含む。検出されたオーバーラップはリジェクトボックスを介して再度セパレーション３．１に供給される。単一送付物として検出された送付物（識別されなかったオーバーラップも）ソーティングプランに従って設けられたソーティングボックスに分配される。考慮される期間内に識別されたオーバーラップの個数及びパラメタライズされたパフォーマンス値ＥＲ’（Ｐｉ）及びＤＲ’（Ｐｉ）２．２から、有用度最適化２において瞬時の推定されたオーバーラップ率ＤＦＲ’がもとめられる２．４。有用度方程式／有用度モデル２．３
ＣＢ’（Ｐｉ）＝Ｎ｛ＤＦＲ’（Ｐｉ）・ＤＲ（Ｐｉ）・（ＣＮＤＤ−ＣＲＦ））−（ＥＲ（Ｐｉ）・ＣＲＦ・（１−ＤＦＲ’（Ｐｉ）））｝
から最適化プロセス２．１において最大有用度ＣＢ’を有するパラメータＰｏｐｔがもとめられる。
【００２７】
テーブル１及び図１に図示されたパフォーマンスパラメータ、エラーコストＣＮＤＤ＝０．０５８、ＣＲＦ＝０．００３５及びＮ＝１,０００,０００の処理される送付物を有する検出器において、テーブル３に図示されたオーバーラップ率ＤＦＲ’及びパラメータＰｉに依存する有用度が生じる。各オーバーラップ率に対する最大有用度はアンダーライン及び太字によって示されている。これに所属する調整パラメータＰｉはこの場合選択されるかつ自動的に調整されるパラメータＰｏｐｔである。
【００２８】
【表３】
2007501176.tif 000007
【図面の簡単な説明】
【００２９】
【図１】調整パラメータＰｉに依存する検出器の識別率及びエラー率の線図を示す。
【図２】動作プロセスのブロック線図を示す。
【符号の説明】
【００３０】
１  ソーティング及び分配プロセス
１．１  オーバーラップによるコスト
２  プロセスオペレータに対する有用度最適化
２．１  最適化プロセス
２．２  検出器パラメータ
２．３  オーバーラップ検出器に対する有用度モデル
２．４  ＤＦＲ算出
３  オーバーラップ検出を有するソーティングプロセス
３．１  セパレーション
３．２  オーバーラップ検出
３．３  ソーティング
【図１】
2007501176.tif 000009
【図２】
2007501176.tif 000010
【国際調査報告】
2007501176.tif 000011
2007501176.tif 000012
2007501176.tif 000013
2007501176.tif 000014